(57)【特許請求の範囲】
【請求項１】
互いに直交する縦方向と横方向と厚さ方向とを有した吸収性物品であって、
長手方向の所定位置で二つ折りされて、前記長手方向を前記縦方向に沿わせて配された吸収性本体と、
前記横方向に沿って設けられ、前記吸収性本体の前記長手方向の一方の端部に前記厚さ方向の非肌側から重ねられて固定された腹側帯部材と、
前記腹側帯部材とは別部材として前記横方向に沿って設けられ、前記吸収性本体の前記長手方向の他方の端部に前記厚さ方向の非肌側から重ねられて固定された背側帯部材と、を有し、
前記腹側帯部材のうちの前記横方向の各端部と前記背側帯部材のうちの前記横方向の各端部とが連結されることによって、一つの胴回り開口部と二つの脚回り開口部とが形成されており、
前記腹側帯部材に前記吸収性本体の前記一方の端部が重なる面積と、前記背側帯部材に前記吸収性本体の前記他方の端部が重なる面積とが異なり、
前記吸収性本体は、液体吸収性素材を有した吸収性コアと、前記吸収性コアを前記厚さ方向の肌側から覆って設けられた肌側シートと、前記吸収性コアを前記厚さ方向の非肌側から覆って設けられた非肌側シートと、を有し、
前記背側帯部材に前記横方向の収縮力を付与するための弾性部材の少なくとも一つの弾性部材は、前記横方向から傾斜してなる傾斜部分を有し、
前記非肌側シートは、前記吸収性コアと色違いの色違い領域を有し、
前記色違い領域は、前記長手方向の前記一方の端部側において前記吸収性コアから前記長手方向又は前記横方向に突出した部分と、前記長手方向の前記他方の端部側において前記吸収性コアから前記長手方向又は前記横方向に突出した部分を有し、
前記厚さ方向の肌側から前記吸収性本体を見た場合に、前記色違い領域のうちで前記吸収性コアから突出した部分が、前記肌側シートを透かした形で視認可能であるとともに、前記色違い領域のうちの前記一方の端部側で前記突出した部分と、前記他方の端部側で前記突出した部分との形状が互いに異なっており、
前記吸収性本体の前記一方の端部の前記横方向に沿った端縁部を前記長手方向に跨ぎつつ、前記端縁部を前記厚さ方向の肌側から覆う第１シートを有するとともに、前記第１シートを透かした形で前記色違い領域を視認可能であり、
前記吸収性本体の前記他方の端部の前記横方向に沿った端縁部を前記長手方向に跨ぎつつ、前記端縁部を前記厚さ方向の肌側から覆う第２シートを有するとともに、前記第２シートを透かした形で前記色違い領域を視認可能であり、
前記色違い領域のうちで前記吸収性コアから前記突出した部分を前記第１シートが覆う前記長手方向の長さの最大値と、前記色違い領域のうちで前記吸収性コアから前記突出した部分を前記第２シートが覆う前記長手方向の長さの最大値とが異なっていることを特徴とする吸収性物品。
【請求項２】
請求項１に記載の吸収性物品であって、
前記厚さ方向の前記腹側帯部材側から前記吸収性物品を見た場合に、前記背側帯部材の一部が、前記腹側帯部材において前記脚回り開口部となる部分よりも前記縦方向に突出しており、
前記一部には、前記弾性部材の前記傾斜部分が位置していることを特徴とする吸収性物品。
【請求項３】
請求項１又は２に記載の吸収性物品であって、
前記長手方向における前記一方の端部と前記他方の端部との間の位置に、前記吸収性本体は、前記腹側帯部材及び前記背側帯部材のどちらとも重ならない部分を有し、
前記重ならない部分にも前記非肌側シートの前記色違い領域が存在し、
前記吸収性物品を前記厚さ方向の非肌側から見た場合に、前記吸収性本体の前記一方の端部及び前記他方の端部は、それぞれ前記腹側帯部材及び前記背側帯部材を透かした形で視認されることにより、前記重ならない部分よりも前記色違い領域の色が薄く見える薄色領域をなしているとともに、前記重ならない部分は、前記薄色領域よりも前記色違い領域の色が濃く見える濃色領域をなしており、
前記吸収性物品を前記厚さ方向の肌側から見た場合に、前記吸収性本体の前記厚さ方向の肌側には、前記薄色領域及び前記濃色領域が存在していないことを特徴とする吸収性物品。
【請求項４】
請求項３に記載の吸収性物品であって、
前記傾斜部分を有した前記弾性部材は、前記横方向に前記吸収性本体を跨いで設けられており、
前記背側帯部材において前記吸収性本体と重ならない前記横方向の各端部に、前記傾斜部分が設けられていることにより、前記傾斜部分は前記厚さ方向の肌側から視認可能に設けられており、
前記傾斜部分は、前記横方向の内側へ向かうに従って、前記薄色領域と前記濃色領域との境界位置の方へと近づくように前記長手方向の内側に変位していることを特徴とする吸収性物品。
【請求項５】
請求項１乃至４の何れかに記載の吸収性物品であって、
前記腹側帯部材に前記横方向の収縮力を付与するための弾性部材を前記腹側帯部材は有し、
前記弾性部材は、前記横方向から傾斜してなる傾斜部分を有した弾性部材を有していないことを特徴とする吸収性物品。
【請求項６】
請求項１乃至５の何れかに記載の吸収性物品であって、
前記吸収性コアと、前記吸収性コアの外周面を被覆するコアラップシートと、を有する吸収体には、前記厚さ方向から圧搾してなる圧搾部が所定パターンで形成されており、
前記肌側シートのうちで前記コアラップシートよりも前記厚さ方向の肌側に設けられる液透過性のトップシートは、前記吸収体と同じ色であり、
前記非肌側シートの前記色違い領域は、前記吸収性本体において前記帯部材と重ならない部分にも存在しているとともに、前記色違い領域は、前記吸収体とも色違いであることを特徴とする吸収性物品。
【請求項７】
請求項１乃至６の何れかに記載の吸収性物品であって、
前記吸収性コアは、１００（ｇ／ｍ2）〜８００（ｇ／ｍ2）の坪量のパルプ繊維を含む前記液体吸収性素材を所定形状に成形した成形体であり、
前記色違い領域は、前記成形体の色と色違いとされていることを特徴とする吸収性物品。
【発明の詳細な説明】
【技術分野】
【０００１】
本発明は、使い捨ておむつ等の尿を吸収する吸収性物品に関する。
【背景技術】
【０００２】
従来、尿を吸収する吸収性物品として、特許文献１に示すような３ピースタイプのパンツ型使い捨ておむつが知られている。かかるおむつは、第１部品として着用対象者の股間部にあてがわれて尿を吸収する吸収性本体を有し、第２部品として着用対象者の腹側部を覆う腹側帯部材を有し、第３部品として着用対象者の背側部を覆う背側帯部材を有している。そして、吸収性本体がその長手方向の所定位置で二つ折りされながら、腹側帯部材のうちの横方向の各端部と背側帯部材のうちの横方向の各端部とが連結されることにより、当該おむつは、一つの胴回り開口部と二つの脚回り開口部とを有したパンツ型おむつとして使用される。
【先行技術文献】
【特許文献】
【０００３】
【特許文献１】特開２０１２−１１５３５８号
【発明の概要】
【発明が解決しようとする課題】
【０００４】
かかるおむつの工夫の一つとして、おむつの非肌側面に「前側」及び「後側」といった文字を印刷することが挙げられる。そして、このようにすれば、おむつ交換の作業者や着用対象者がおむつを非肌側から見た場合に、おむつの腹側と背側とを容易に識別できて、着用対象者がおむつを後ろ前に履いてしまうことを防ぐことができる。
【０００５】
但し、上記作業者等がおむつを肌側から見た場合に、腹側と背側とを識別し易くしても、便利である。例えば、新品のおむつを着用対象者に履かせる際に、おむつ交換の作業者は、両手をおむつの中に入れて胴回り開口部を横方向に大きく広げるが、その際に、同作業者の視点が、おむつの内側、すなわち肌側にいくことが多い。そして、このときに、おむつの腹側と背側とを確認できれば、後ろ前におむつを履かせてしまうことをより確実に防ぐことができる。
【０００６】
本発明は、上記のような従来の問題に鑑みてなされたものであって、その目的は、作業者等が吸収性物品を肌側から見た場合に、吸収性物品の腹側と背側とを容易に識別可能にすることにある。
【課題を解決するための手段】
【０００７】
上記目的を達成するための主たる発明は、
互いに直交する縦方向と横方向と厚さ方向とを有した吸収性物品であって、
長手方向の所定位置で二つ折りされて、前記長手方向を前記縦方向に沿わせて配された吸収性本体と、
前記横方向に沿って設けられ、前記吸収性本体の前記長手方向の一方の端部に前記厚さ方向の非肌側から重ねられて固定された腹側帯部材と、
前記腹側帯部材とは別部材として前記横方向に沿って設けられ、前記吸収性本体の前記長手方向の他方の端部に前記厚さ方向の非肌側から重ねられて固定された背側帯部材と、を有し、
前記腹側帯部材のうちの前記横方向の各端部と前記背側帯部材のうちの前記横方向の各端部とが連結されることによって、一つの胴回り開口部と二つの脚回り開口部とが形成されており、
前記腹側帯部材に前記吸収性本体の前記一方の端部が重なる面積と、前記背側帯部材に前記吸収性本体の前記他方の端部が重なる面積とが異なり、
前記吸収性本体は、液体吸収性素材を有した吸収性コアと、前記吸収性コアを前記厚さ方向の肌側から覆って設けられた肌側シートと、前記吸収性コアを前記厚さ方向の非肌側から覆って設けられた非肌側シートと、を有し、
前記背側帯部材に前記横方向の収縮力を付与するための弾性部材の少なくとも一つの弾性部材は、前記横方向から傾斜してなる傾斜部分を有し、
前記非肌側シートは、前記吸収性コアと色違いの色違い領域を有し、
前記色違い領域は、前記長手方向の前記一方の端部側において前記吸収性コアから前記長手方向又は前記横方向に突出した部分と、前記長手方向の前記他方の端部側において前記吸収性コアから前記長手方向又は前記横方向に突出した部分を有し、
前記厚さ方向の肌側から前記吸収性本体を見た場合に、前記色違い領域のうちで前記吸収性コアから突出した部分が、前記肌側シートを透かした形で視認可能であるとともに、前記色違い領域のうちの前記一方の端部側で前記突出した部分と、前記他方の端部側で前記突出した部分との形状が互いに異なっており、
前記吸収性本体の前記一方の端部の前記横方向に沿った端縁部を前記長手方向に跨ぎつつ、前記端縁部を前記厚さ方向の肌側から覆う第１シートを有するとともに、前記第１シートを透かした形で前記色違い領域を視認可能であり、
前記吸収性本体の前記他方の端部の前記横方向に沿った端縁部を前記長手方向に跨ぎつつ、前記端縁部を前記厚さ方向の肌側から覆う第２シートを有するとともに、前記第２シートを透かした形で前記色違い領域を視認可能であり、
前記色違い領域のうちで前記吸収性コアから前記突出した部分を前記第１シートが覆う前記長手方向の長さの最大値と、前記色違い領域のうちで前記吸収性コアから前記突出した部分を前記第２シートが覆う前記長手方向の長さの最大値とが異なっていることを特徴とする吸収性物品である。
本発明の他の特徴については、本明細書及び添付図面の記載により明らかにする。
【発明の効果】
【０００８】
本発明によれば、作業者等が吸収性物品を肌側から見た場合に、吸収性物品の腹側と背側とを容易に識別可能となる。
【図面の簡単な説明】
【０００９】
【図１】本実施形態の吸収性物品の一例としての３ピースタイプのパンツ型使い捨ておむつ１を腹側から見た概略正面図である。
【図２】展開状態のおむつ１を肌側から見た概略平面図である。
【図３】同おむつ１を非肌側から見た概略平面図である。
【図４】図４Ａ及び図４Ｂは、それぞれ図２中のＡ−Ａ断面図及びＢ−Ｂ断面図である。
【図５】図２中のＶ−Ｖ断面図である。
【図６】おむつ１に対してなされた工夫の説明図であって、展開状態のおむつ１を肌側から見た概略平面図である。
【図７】おむつ１の肌側と非肌側とを容易に識別するための工夫の説明図であって、展開状態のおむつ１を非肌側から見た図である。
【図８】図８Ａは、第１変形例のおむつ１を肌側から見た概略平面図であり、図８Ｂは、図８Ａ中のＢ−Ｂ断面図である。
【図９】第２変形例のおむつ１を肌側から見た概略平面図である。
【図１０】吸収性コア１１ｃの肌側に別の吸収性コア１１ｃ１が積層された態様の説明図であって、おむつ１を肌側から見た概略平面図である。
【図１１】その他の実施形態の説明図であって、おむつ１を肌側から見た概略平面図である。
【図１２】その他の実施形態の説明図であって、おむつ１を肌側から見た概略平面図である。
【発明を実施するための形態】
【００１０】
本明細書及び添付図面の記載により、少なくとも以下の事項が明らかとなる。
互いに直交する縦方向と横方向と厚さ方向とを有した吸収性物品であって、
長手方向の所定位置で二つ折りされて、前記長手方向を前記縦方向に沿わせて配された吸収性本体と、
前記横方向に沿って設けられ、前記吸収性本体の前記長手方向の一方の端部に前記厚さ方向の非肌側から重ねられて固定された腹側帯部材と、
前記腹側帯部材とは別部材として前記横方向に沿って設けられ、前記吸収性本体の前記長手方向の他方の端部に前記厚さ方向の非肌側から重ねられて固定された背側帯部材と、を有し、
前記腹側帯部材のうちの前記横方向の各端部と前記背側帯部材のうちの前記横方向の各端部とが連結されることによって、一つの胴回り開口部と二つの脚回り開口部とが形成されており、
前記腹側帯部材に前記吸収性本体の前記一方の端部が重なる面積と、前記背側帯部材に前記吸収性本体の前記他方の端部が重なる面積とが異なり、
前記吸収性本体は、液体吸収性素材を有した吸収性コアと、前記吸収性コアを前記厚さ方向の肌側から覆って設けられた肌側シートと、前記吸収性コアを前記厚さ方向の非肌側から覆って設けられた非肌側シートと、を有し、
前記背側帯部材に前記横方向の収縮力を付与するための弾性部材の少なくとも一つの弾性部材は、前記横方向から傾斜してなる傾斜部分を有し、
前記非肌側シートは、前記吸収性コアと色違いの色違い領域を有し、
前記色違い領域は、前記長手方向の前記一方の端部側において前記吸収性コアから前記長手方向又は前記横方向に突出した部分と、前記長手方向の前記他方の端部側において前記吸収性コアから前記長手方向又は前記横方向に突出した部分を有し、
前記厚さ方向の肌側から前記吸収性本体を見た場合に、前記色違い領域のうちで前記吸収性コアから突出した部分が、前記肌側シートを透かした形で視認可能であるとともに、前記色違い領域のうちの前記一方の端部側で前記突出した部分と、前記他方の端部側で前記突出した部分との形状が互いに異なっていることを特徴とする吸収性物品である。
【００１１】
このような吸収性物品によれば、肌側から吸収性本体を見た場合に、色違い領域のうちの腹側で突出した部分と、背側で突出した部分との形状が互いに異なっている。よって、色違い領域を見た吸収性物品交換の作業者又は着用対象者は、上記の形状の相違に基づいて、吸収性物品の腹側と背側とを容易に識別することができる。
また、腹側帯部材に吸収性本体の一方の端部が重なる面積と、背側帯部材に吸収性本体の他方の端部が重なる面積とが異なっている。よって、これら面積を肌側から見れば、当該面積の相違に基づいて、作業者等は、腹側と背側とを容易に識別することができる。
【００１２】
かかる吸収性物品であって、
前記厚さ方向の前記腹側帯部材側から前記吸収性物品を見た場合に、前記背側帯部材の一部が、前記腹側帯部材において前記脚回り開口部となる部分よりも前記縦方向に突出しており、
前記一部には、前記弾性部材の前記傾斜部分が位置しているのが望ましい。
【００１３】
このような吸収性物品によれば、背側帯部材の上記一部は、腹側帯部材において脚回り開口部となる部分よりも縦方向に突出している。よって、当該一部を有した方の帯部材が、お尻を覆うべき部分であることを直感的に察知することができて、これにより、この帯部材が、背側帯部材であると正しく認識することができる。
また、当該一部には、上記弾性部材の傾斜部分が存在しているので、横方向だけでなく縦方向にも収縮力が付与されて、これにより、当該一部は、横方向及び縦方向の両方向に縮んで大きな襞が形成された状態になっている。よって、当該一部は、他の部分と比べて目立った状態になっていて、これにより、作業者等の目に触れ易くなる。
【００１４】
かかる吸収性物品であって、
前記長手方向における前記一方の端部と前記他方の端部との間の位置に、前記吸収性本体は、前記腹側帯部材及び前記背側帯部材のどちらとも重ならない部分を有し、
前記重ならない部分にも前記非肌側シートの前記色違い領域が存在し、
前記吸収性物品を前記厚さ方向の非肌側から見た場合に、前記吸収性本体の前記一方の端部及び前記他方の端部は、それぞれ前記腹側帯部材及び前記背側帯部材を透かした形で視認されることにより、前記重ならない部分よりも前記色違い領域の色が薄く見える薄色領域をなしているとともに、前記重ならない部分は、前記薄色領域よりも前記色違い領域の色が濃く見える濃色領域をなしており、
前記吸収性物品を前記厚さ方向の肌側から見た場合に、前記吸収性本体の前記厚さ方向の肌側には、前記薄色領域及び前記濃色領域が存在していないのが望ましい。
【００１５】
このような吸収性物品によれば、吸収性本体における薄色領域と濃色領域とを見ることにより、こちら側が、吸収性物品の非肌側であると作業者等は容易に認識することができる。
【００１６】
かかる吸収性物品であって、
前記傾斜部分を有した前記弾性部材は、前記横方向に前記吸収性本体を跨いで設けられており、
前記背側帯部材において前記吸収性本体と重ならない前記横方向の各端部に、前記傾斜部分が設けられていることにより、前記傾斜部分は前記厚さ方向の肌側から視認可能に設けられており、
前記傾斜部分は、前記横方向の内側へ向かうに従って、前記薄色領域と前記濃色領域との境界位置の方へと近づくように前記長手方向の内側に変位しているのが望ましい。
【００１７】
このような吸収性物品によれば、上記弾性部材は上記傾斜部分を有していて、特徴的な形状をしている。よって、作業者等は、当該弾性部材に注目し易くなる。そして、同作業者等は、当該弾性部材の傾斜部分を肌側から視認することにより、当該傾斜部分が位置している方の帯部材が背側帯部材であると速やかに認識することができる。よって、作業者等は、吸収性物品の腹側と背側とを容易に識別することができる。
また、かかる傾斜部分は、横方向の内側へ向かうに従って、薄色領域と濃色領域との境界位置の方へ近づくように上記長手方向の内側に変位している。よって、当該傾斜部分は、その近傍の上記薄色領域及び濃色領域に基づいて目立つようになって、その結果、傾斜部分は、作業者等の目に触れ易くなる。
更に、上記の構成によれば、吸収性物品の肌側と非肌側との識別も容易に行うことができる。すなわち、背側帯部材に設けられる上記傾斜部分を有した弾性部材は、吸収性本体よりも厚さ方向の非肌側に位置していることから、当該傾斜部分を有した弾性部材が吸収性本体上に重なって見える側が、吸収性物品の非肌側であり、同弾性部材が吸収性本体の下に隠れて見え難い側が、吸収性物品の肌側である。よって、作業者等は、吸収性物品の肌側と非肌側との識別を容易に行うことができる。
【００１８】
かかる吸収性物品であって、
前記腹側帯部材に前記横方向の収縮力を付与するための弾性部材を前記腹側帯部材は有し、
前記弾性部材は、前記横方向から傾斜してなる傾斜部分を有した弾性部材を有していないのが望ましい。
【００１９】
このような吸収性物品によれば、腹側帯部材には、上記の傾斜部分を有した弾性部材は設けられておらず、当該傾斜部分を有した弾性部材は、背側帯部材のみに設けられている。よって、当該傾斜部分を有した弾性部材の有無に基づいて、作業者等は、吸収性物品の腹側と背側とを容易に識別することができる。
【００２０】
かかる吸収性物品であって、
前記吸収性コアと、前記吸収性コアの外周面を被覆するコアラップシートと、を有する吸収体には、前記厚さ方向から圧搾してなる圧搾部が所定パターンで形成されており、
前記肌側シートのうちで前記コアラップシートよりも前記厚さ方向の肌側に設けられる液透過性のトップシートは、前記吸収体と同じ色であり、
前記非肌側シートの前記色違い領域は、前記吸収性本体において前記帯部材と重ならない部分にも存在しているとともに、前記色違い領域は、前記吸収体とも色違いであるのが望ましい。
【００２１】
このような吸収性物品によれば、吸収性物品の肌側と非肌側とを容易に識別可能となる。すなわち、肌側シートは吸収体と同じ色であることから、肌側シートを透かす形での吸収体の上記圧搾部の視認性は悪くないが、これに対して、非肌側シートの上記色違い領域は吸収体と色違いであることから、非肌側シートを透かす形での圧搾部の視認性は悪い。よって、この視認性の相違に基づいて、作業者等は、吸収性物品の肌側と非肌側とを速やかに識別可能となる。
【００２２】
かかる吸収性物品であって、
前記吸収性本体の前記一方の端部の前記横方向に沿った端縁部を前記長手方向に跨ぎつつ、前記端縁部を前記厚さ方向の肌側から覆う第１シートを有するとともに、前記第１シートを透かした形で前記色違い領域を視認可能であり、
前記吸収性本体の前記他方の端部の前記横方向に沿った端縁部を前記長手方向に跨ぎつつ、前記端縁部を前記厚さ方向の肌側から覆う第２シートを有するとともに、前記第２シートを透かした形で前記色違い領域を視認可能であり、
前記色違い領域のうちで前記吸収性コアから前記突出した部分を前記第１シートが覆う前記長手方向の長さの最大値と、前記色違い領域のうちで前記吸収性コアから前記突出した部分を前記第２シートが覆う前記長手方向の長さの最大値とが異なっているのが望ましい。
【００２３】
このような吸収性物品によれば、第１シートが上記突出した部分を覆う長手方向の長さの最大値と、第２シートが上記突出した部分を覆う長手方向の長さの最大値とが互いに異なっている。一方、上記突出した部分において第１シート又は第２シートで覆われた部分は、覆われていない部分と比べて薄く見える。
よって、吸収性物品を肌側から見た場合に、色違い領域のうちで第１シートを透かして薄く見える部分の長手方向の長さの最大値と、色違い領域のうちで第２シートを透かして薄く見える部分の長手方向の長さの最大値とが、互いに異なって視認されることになって、この長さの最大値の相違に基づいて、作業者等は、吸収性物品を肌側から見た場合に、腹側と背側とを速やかに識別可能となる。
【００２４】
かかる吸収性物品であって、
前記吸収性コアは、１００（ｇ／ｍ2）〜８００（ｇ／ｍ2）の坪量のパルプ繊維を含む前記液体吸収性素材を所定形状に成形した成形体であり、
前記色違い領域は、前記成形体の色と色違いとされているのが望ましい。
【００２５】
このような吸収性物品によれば、上記の坪量のパルプ繊維を含む液体吸収性素材を所定形状に成形した成形体を吸収性コアとし、そして、上記の色違い領域は、吸収性コアたる上記成形体の色と色違いとされている。よって、色違い領域において吸収性コアから長手方向又は横方向に突出した部分を視認し易くなる。
【００２６】
＝＝＝本実施形態＝＝＝
図１は、本実施形態の吸収性物品の一例としての３ピースタイプのパンツ型使い捨ておむつ１を腹側から見た概略正面図である。図２は、展開状態のおむつ１を肌側から見た概略平面図であり、図３は、同おむつ１を非肌側から見た概略平面図である。また、図４Ａ及び図４Ｂは、それぞれ図２中のＡ−Ａ断面図及びＢ−Ｂ断面図であり、図５は、図２中のＶ−Ｖ断面図である。
【００２７】
このおむつ１は、図１のパンツ型状態において、互いに直交する三方向として縦方向と横方向と厚さ方向（図１では、紙面を貫通する方向）とを有している。
【００２８】
また、同おむつ１は所謂３ピースタイプであることから、図２の展開状態において、第１部品として着用対象者の股間部にあてがわれ尿を吸収する吸収性本体１０を有し、第２部品として同着用対象者の腹側部を覆う腹側帯部材３０ａを有し、第３部品として同着用対象者の背側部を覆う背側帯部材３０ｂを有している。詳しくは、腹側帯部材３０ａと背側帯部材３０ｂとが互いの間に間隔をあけて平行に並んだ状態において、これら両者３０ａ，３０ｂ同士の間に吸収性本体１０が掛け渡されつつ、同吸収性本体１０の長手方向の各端部１０ｅａ，１０ｅｂがそれぞれ最寄りの帯部材３０ａ，３０ｂに接合固定されており、その外観形状は平面視略Ｈ形状をなしている。
そして、この略Ｈ形状の展開状態から、吸収性本体１０の長手方向の所定位置Ｃ１０（長手方向におけるおむつ１の中央位置Ｃ１に相当する位置）を折り位置として同吸収性本体１０が二つ折りされるとともに、この二つ折りの状態において互いに対向する帯部材３０ａ，３０ｂ同士が、着用対象者の脇腹に当接すべき部分３０ａｅ，３０ｂｅ（つまり、横方向の各端部３０ａｅ，３０ｂｅ）にて溶着又は接着などされて連結されると、これら帯部材３０ａ，３０ｂ同士が環状に繋がって、これにより、図１に示すような胴周り開口部１ＨＢ及び一対の脚周り開口部１ＨＬ，１ＨＬが形成されたパンツ型状態のおむつ１となる。
【００２９】
なお、以下では、主に図２乃至図５の展開状態のおむつ１を参照しながらおむつ１の３つの構成部品１０，３０ａ，３０ｂについて説明するが、この展開状態のおむつ１の横方向及び厚さ方向の概念については、図１のパンツ型状態のおむつ１の横方向及び厚さ方向の概念と同じである。そのため、これらについては、展開状態とパンツ型状態とで区別せずに、単に「横方向」及び「厚さ方向」と言う。
一方、図２の展開状態において横方向及び厚さ方向と直交する方向は、吸収性本体１０の長手方向と同じである。そして、この長手方向は、同図２の展開状態のおむつ１の長手方向と揃っているとともに、図１のパンツ型状態での縦方向に沿っている。但し、厳密に言えば、この長手方向は、パンツ型状態での縦方向とは若干意味が異なる。そのため、以下では、展開状態においては、横方向及び厚さ方向と直交する方向のことを、「長手方向」或いは「おむつ長手方向」と言い、パンツ型状態での縦方向と区別する。また、厚さ方向に関しては、着用対象者に接触する側のことを「肌側」とも言い、その逆側のことを「非肌側」とも言う。
【００３０】
図２乃至図５に示すように、吸収性本体１０は、吸収体１１と、同吸収体１１を肌側から覆って設けられたトップシート１３と、同吸収体１１を非肌側から覆って設けられたバックシート１５と、横方向の両側にそれぞれ立体ギャザー１７ｇ，１７ｇを形成するための一対の立体ギャザーシート１７，１７と、を備えている。
【００３１】
吸収体１１は、液体吸収性の吸収性コア１１ｃと、同コア１１ｃの外周面を被覆するコアラップシート１１ｒと、を有する。吸収性コア１１ｃは、所定の液体吸収性素材を所定形状の一例としての平面視略砂時計形状に成形した成形体である。液体吸収性素材としては、パルプ繊維等の液体吸収性繊維や、高吸収性ポリマー（所謂ＳＡＰ）等の液体吸収性粒状物を例示できて、この例では、同素材として１００（ｇ／ｍ2）〜８００（ｇ／ｍ2）の坪量のパルプ繊維と０（ｇ／ｍ2）よりも大きく８００（ｇ／ｍ2）以下の坪量のＳＡＰとの両者を混合して使用していて、これにより、重量比で最も多いパルプ繊維が、同コア１１ｃの主材となっているが、何等これに限らない。例えばＳＡＰについては無くても良い。また、コアラップシート１１ｒには、ティッシュペーパーや不織布等の液透過性シートを使用可能であり、この例では、白色の不織布を使用しているが、何等これに限らず、更に言えば、コアラップシート１１ｒについては無くても良い。また、吸収性コア１１ｃの形状は、何等上記の平面視略砂時計形状に限らず、他の形状でも良い。
【００３２】
トップシート１３は、例えば液透過性の白色の不織布で形成され、吸収体１１の長手方向の両側及び横方向の両側から突出するような平面サイズのシートである。また、バックシート１５も、吸収体１１の長手方向の両側及び横方向の両側から突出するような平面サイズのシートである。そして、これら両シート１３，１５は、吸収体１１から長手方向及び横方向に突出した部分で接着や溶着等によって互いに接合され、これにより、両シート１３，１５同士の間に吸収体１１が保持されている。なお、図４Ａに示すように、バックシート１５の素材例としては、ポリエチレン（ＰＥ）フィルム又はポリプロピレン（ＰＰ）フィルム等の液不透過性の防漏シート１５ａと、防漏シート１５ａの非肌側に貼り合わされた不織布製の外装シート１５ｂとを有した二層構造のラミネートシート１５を挙げることができて、ここでは、これが使用されているが、一定の防漏性を有していれば、何等これに限らない。
【００３３】
また、この例では、外装シート１５ｂによって脚回りギャザーＬＧの一部を形成している。脚回りギャザーＬＧとは、おむつ１の各脚周り開口部１ＨＬ，１ＨＬに形成される伸縮部ＬＧのことであるが、かかる脚回りギャザーＬＧの一部を形成すべく、図４Ａに示すように、外装シート１５ｂは、防漏シート１５ａから横方向の両側に大きく突出している。そして、この突出した部分１５ｂｆが、吸収性本体１０の横方向の端部１０ｅｓに相当する位置を折り返し位置１０ｅｓとして横方向の内側に折り返されているとともに、同折り返し位置１０ｅｓの近傍部分には長手方向に沿って糸ゴム等の弾性部材１９が長手方向に伸長下で固定されている（図２）。よって、当該近傍部分には長手方向の収縮力が付与されていて、これにより、当該近傍部分は複数の襞を形成しながら長手方向に収縮し、その結果、当該近傍部分は、上記の脚回りギャザーＬＧの一部として機能する。なお、折り返された部分の横方向の先端部１５ｂｆｒは、立体ギャザーシート１７の横方向の端部を、肌側から覆っている。
【００３４】
立体ギャザーシート１７，１７は、例えば白色の不織布で形成され、図２及び図４Ａに示すように、トップシート１３の横方向の各端部をそれぞれ肌側から覆うように当該各端部に対応させて一対で設けられている。そして、各シート１７，１７は、それぞれトップシート１３の肌側面から起立する立体ギャザー１７ｇ，１７ｇを長手方向に沿って形成する。すなわち、各立体ギャザーシート１７は、トップシート１３にホットメルト接着剤等で固定されて起立不能な長手方向に沿った帯状の基端部１７ｋと、同基端部１７ｋを支点として厚さ方向の肌側に起立可能な起立部１７ｓとを横方向に並んで有している。そして、起立部１７ｓの横方向の内側の先端部には、長手方向に沿って糸ゴム等の弾性部材１７ｒが同長手方向に伸長状態でホットメルト接着剤等により固定されている。また、図４Ｂに示すように、同起立部１７ｓのうちの長手方向の各端部は、それぞれトップシート１３の方に伏せられていて、同接着剤等で当該伏せられた状態に固定されている。そして、これにより、当該起立部１７ｓには、上記弾性部材１７ｒから長手方向の収縮力が付与されていて、その結果、起立部１７ｓが複数の襞を形成しながら長手方向に収縮して、厚さ方向の肌側に起立する（図４Ａ）。かかる立体ギャザーシート１７に好適な材料としては、適宜な不織布を例示できて、ここではＳＭＳ（スパンボンド／メルトブローン／スパンボンド）不織布が使用されているが、柔軟性を有していれば、何等これに限らない。
【００３５】
図２に示すように、腹側帯部材３０ａ及び背側帯部材３０ｂは、どちらも不織布等の柔軟なシートを素材とした平面視略矩形形状のシート部材である。ここでは、図４Ｂ及び図５に示すように、不織布３１，３２を二枚重ねに接合することで各帯部材３０ａ，３０ｂは形成されており、そして、図２、図４Ｂ、及び図５に示すように、各帯部材３０ａ，３０ｂの横方向の中央部３０ａｃ，３０ｂｃが、それぞれ吸収性本体１０における長手方向の各端部１０ｅａ，１０ｅｂに非肌側から重ねられて接合されている。
【００３６】
なお、二枚の不織布３１，３２の平面サイズは、互いに同じサイズであっても良いし、そうでなくても良い。例えば、図５に示すように、この例では、非肌側に位置する不織布３１が、肌側に位置する不織布３２よりも長手方向の外側に突出していて、当該突出した部分３１ｆが、おむつ長手方向の内側に折り返されて、肌側の不織布３２に肌側から重ね合わせられている。
【００３７】
また、この例では、図２及び図５に示すように、腹側帯部材３０ａのおむつ長手方向の寸法よりも背側帯部材３０ｂのおむつ長手方向の寸法の方が、大きくされており、これにより、腹側帯部材３０ａのおむつ長手方向の内側の端縁部３０ａｅ１よりも背側帯部材３０ｂのおむつ長手方向の内側の端縁部３０ｂｅ１の方が、展開状態におけるおむつ長手方向のおむつ１の中央位置Ｃ１の近くまで迫っている。そして、この近くまで迫った部分３０ｂｎは、背側帯部材３０ｂにおいて着用対象者のお尻の下部を覆って下着らしさを出すためのお尻カバー３０ｂｎとして機能する。なお、お尻カバー３０ｂｎについては後述する。
【００３８】
また、図２、図４Ｂ、図５に示すように、帯部材３０ａ，３０ｂに係る２枚の不織布３１，３２同士の間には、横方向に沿って糸ゴム等の複数本の弾性部材３５，３５…が介挿されつつ、横方向に伸長下で同不織布３１，３２に接合固定されており、これにより、各帯部材３０ａ，３０ｂには横方向の収縮力が付与されている。そして、大半の弾性部材３５，３５…は、横方向に平行に配置されているが、図２に示すように、幾つかの弾性部材３５（３５ｋ）については、横方向の各端部に、横方向から傾斜してなる傾斜部分３５ｋｋを有している。例えば、この例では、背側帯部材３０ｂに設けられた弾性部材３５，３５…のうちでおむつ長手方向の最も内側に位置する複数本の弾性部材３５ｋ，３５ｋ…については、背側帯部材３０ｂにおけるおむつ長手方向の内側の端縁部３０ｂｅ１の湾曲形状に沿わせるべく、横方向の各端部に傾斜部分３５ｋｋを有し、そして、各傾斜部分３５ｋｋは、横方向の外側から内側へ向かうに従っておむつ長手方向の内側へ変位している。そして、これにより、背側帯部材３０ｂの湾曲形状の上記端縁部３０ｂｅ１に沿って収縮力を付与するようにしている。ちなみに、かかる端縁部３０ｂｅ１のうちの横方向の各端部３０ｂｅ１ｅは、脚回り開口部１ＨＬの一部となる部分であり、よって、上記収縮力に基づいて当該各端部３０ｂｅ１ｅは、複数の襞を形成しながら横方向等に収縮して、これにより脚回りギャザーＬＧの一部として機能する。
【００３９】
以上、おむつ１の各構成部品１０，３０ａ，３０ｂについて説明したが、本実施形態では、おむつ１を肌側から見た場合に、おむつ１の腹側と背側とを容易に識別可能にすべく工夫を施している。以下、この工夫について説明する。
【００４０】
図６は、その説明図であって、展開状態のおむつ１を肌側から見た概略平面図である。なお、同図６では、図の錯綜を防ぐ目的で、上記の工夫にあまり関係しない構成（例えば弾性部材１７ｒ，１９等）については適宜不図示としている。
【００４１】
先ず、図６に示すように、バックシート１５の防漏シート１５ａ（非肌側シートに相当）は、吸収性コア１１ｃと色違いの領域Ａｃ（以下、色違い領域Ａｃと言い、図６中にハッチングで示す領域及びその内側の領域を参照）を有している。この例では、吸収性コア１１ｃの色がパルプ繊維の色由来の白色とされているので、防漏シート１５ａには、素材色が青色のＰＥフィルムが使用されていて、これにより、図３中にハッチングで示すように、防漏シート１５ａには、全面に亘って青色の色違い領域Ａｃが形成されている。
【００４２】
また、図６に示すように、防漏シート１５ａの平面サイズが吸収性コア１１ｃよりも長手方向及び横方向に突出した平面サイズであることから、当該色違い領域Ａｃは、長手方向の腹側（一方の端部側に相当）において吸収性コア１１ｃから長手方向及び横方向に突出した部分Ａｃａ（ハッチングの部分を参照）を有しているとともに、長手方向の背側（他方の端部側に相当）においても吸収性コア１１ｃから長手方向及び横方向に突出した部分Ａｃｂ（ハッチングの部分を参照）を有している。
【００４３】
そして、更に、吸収性コア１１ｃの平面形状は、腹側の部分１１ｃａと背側の部分１１ｃｂとで異なっている。すなわち、おむつ長手方向に関する吸収性本体１０の中央位置Ｃ１０ｓを基準位置Ｃ１０ｓとした場合に、吸収性コア１１ｃにおいて当該基準位置Ｃ１０ｓよりも腹側に位置する部分１１ｃａたる腹側の部分１１ｃａでは、砂時計形状の括れ部のおむつ長手方向の長さが短いのに対して、同コア１１ｃにおいて当該基準位置Ｃ１０ｓよりも背側に位置する部分１１ｃｂたる背側の部分１１ｃｂでは、当該括れ部のおむつ長手方向の長さが長くなっていて、これにより、腹側の部分１１ｃａと背側の部分１１ｃｂとで平面形状が互いに異なっている。
【００４４】
一方、防漏シート１５ａ及び吸収性コア１１との両者よりも肌側に位置するシート１１ｒ，１３，１７，１５ｂｅ、すなわち、コアラップシート１１ｒとトップシート１３と立体ギャザーシート１７と外装シート１５ｂの各端部１５ｂｅとの四者は、何れも不織布であることから、肌側から吸収性本体１０を見た場合に、これら不織布の繊維間隙間を通してこれらシート１１ｒ，１３，１７，１５ｂｅを透かした形で、防漏シート１５ａの色違い領域Ａｃのうちの吸収性コア１１ｃから長手方向及び横方向に突出した部分Ａｃａ，Ａｃｂを視認可能である。
【００４５】
よって、吸収性本体１０を肌側から見た場合に、上記の色違い領域Ａｃのうちの腹側で突出した部分Ａｃａの形状と、背側で突出した部分Ａｃｂの形状とが、同図６中にハッチングで示すように互いに異なって視認され、その結果、おむつ交換の作業者等は、当該形状の相違に基づいて、おむつ１の腹側と背側とを容易に識別することができる。
【００４６】
ちなみに、この例では、吸収性コア１１ｃの色がパルプ繊維の色由来の白色であった関係上、同コア１１ｃと色違いにすべき防漏シート１５ａの色違い領域Ａｃの色を青色にしていたが、何等これに限らない。例えば、白色と色違いの色として、赤色、黄色、緑色、紫色、黄赤色、黄緑色、青緑色、青紫色、赤紫色、黒色、紺色、茶色、ピンク色等にしても良いし、これら以外の色にしても良い。つまり、吸収性コア１１ｃと色違いであれば、任意の色を選択して構わない。
【００４７】
なお、ここで言う「色違いの色」というのは、例えば日本工業規格ＪＩＳ  Ｚ８１０２：２００１の付表１に記載の慣用色名で規定される。すなわち、同付表１中において慣用色名が異なる色同士は、互いに色違いの色である。また、上記に羅列して例示の赤色や黄色などの色同士も、互いに色違いの色である。
【００４８】
また、この例では、色違い領域Ａｃは、防漏シート１５ａの全面に形成されていたが、何等これに限らない。すなわち、色違い領域Ａｃのうちで吸収性コア１１ｃから突出した部分Ａｃａ，Ａｃｂ同士の形状の相違を、腹側と背側とで比較可能であれば、色違い領域Ａｃを防漏シート１５ａの全面に形成しなくても良い。例えば、防漏シート１５ａのうちで吸収性コア１１ｃと重なる部分については、色違い領域Ａｃを形成しなくても良い。
【００４９】
更に、色違い領域Ａｃの形成は、何等防漏シート１５ａの素材色に基づかなくても良い。例えば、素材色が白色の防漏シート１５ａの肌側面又は非肌側面或いは両面にインクなどの塗料で着色して色違い領域Ａｃを形成しても良いし、又は、同領域Ａｃを単色でなく複数色で形成しても良いし、或いは、単色のグラデーションで形成しても良いし、更に言えば、イラストや文字などの図柄などで形成しても良い。
【００５０】
また、この例では、同図６に示すように、防漏シート１５ａの色違い領域Ａｃは、長手方向の腹側及び背側において、それぞれ吸収性コア１１ｃから長手方向及び横方向の両方に突出した部分Ａｃａ，Ａｃｂを有していたが、何等これに限らず、長手方向及び横方向の一方のみに突出した部分を有していても良い。例えば、色違い領域Ａｃが、長手方向の腹側及び背側においてそれぞれ吸収性コア１１ｃから長手方向にのみ突出した部分を有していて、これら突出した部分同士の形状が互いに異なっていても良いし、或いは、色違い領域Ａｃが、長手方向の腹側及び背側においてそれぞれ吸収性コア１１ｃから横方向にのみ突出した部分を有していて、これら突出した部分同士の形状が互いに異なっていていても良い。
【００５１】
ちなみに、上記の突出した部分Ａｃａ，Ａｃｂ同士の形状が互いに異なっているか否かの判定については、例えば次のようにして行うことができる。先ず、展開状態のおむつ１に対して非肌側から光を照射した状態する。そして、この状態において肌側から同おむつ１を見れば、おむつ１を厚さ方向に透かす形で、上述の突出した部分Ａｃａ，Ａｃｂ同士を比較して見ることができて、これにより、これら突出した部分Ａｃａ，Ａｃｂ同士の形状が異なっているか否かの判定をすることができる。
【００５２】
ところで、この例では、図６を参照してわかるように、腹側帯部材３０ａに吸収性本体１０の腹側の端部１０ｅａが重なる面積と、背側帯部材３０ｂに吸収性本体１０の背側の端部１０ｅｂが重なる面積とについても互いに異なっている。詳しくは、後者の方が前者よりも大きくなっている。よって、吸収性本体１０を肌側から見た際に、作業者等は、これらの面積の相違に基づいても、おむつ１の腹側と背側とを容易に識別することができる。但し、面積の大小関係については、何等これに限らない。すなわち、場合によっては、前者の方を後者より大きくしても良い。
【００５３】
また、この例では、図１に示すように、厚さ方向の腹側帯部材３０ａ側からパンツ型状態のおむつ１を見た場合に、背側帯部材３０ｂの一部３０ｂｎが、腹側帯部材３０ａにおいて脚回り開口部１ＨＬとなる部分３０ａ１ＨＬよりも縦方向に（同図１中では下側に）突出している。すなわち、所謂お尻カバー３０ｂｎが突出して見えている。よって、作業者等は、かかるお尻カバー３０ｂｎを見ることにより、このお尻カバー３０ｂｎを有した方の帯部材３０ｂが、背側帯部材３０ｂであると直感的に察知することができる。
更に、このお尻カバー３０ｂｎには、前述の弾性部材３５ｋの傾斜部分３５ｋｋが存在しているので、横方向だけでなく縦方向にも収縮力が付与されていて、これにより、同お尻カバー３０ｂｎは、横方向及び縦方向の両方向に収縮して大きな襞が形成された状態になっている。よって、当該お尻カバー３０ｂｎは、他の部分と比べて目立った状態となっていて、これにより、作業者等の目に触れ易い。
【００５４】
また、かかる傾斜部分３５ｋｋは、縦方向及び横方向から傾いているという特徴的な形状をしているが、図２に示すように、かかる傾斜部分３５ｋｋは、背側帯部材３０ｂにおける横方向の端部に位置していて、当該端部には、吸収性本体１０が重ねられていないとともに、同背側帯部材３０ｂは、繊維間隙間を有した不織布製であることから、当該不織布を透かす形で、当該傾斜部分３５ｋｋを肌側からも視認可能である。よって、当該肌側からおむつ１を見た場合でも、かかる特徴的形状の傾斜部分３５ｋｋの視認を通して、作業者等は、傾斜部分３５ｋｋが有る方の帯部材が背側帯部材３０ｂであると速やかに認識することができる。
【００５５】
ところで、この例では、おむつ１の肌側と非肌側とを容易に識別するための工夫もなされている。以下、これについて説明する。
【００５６】
図７は、展開状態のおむつ１を非肌側から見た概略平面図であるが、同図７に示すように、この例では、吸収性本体１０は、長手方向における腹側の端部１０ｅａと背側の端部１０ｅｂとの間に、腹側帯部材３０ａ及び背側帯部材３０ｂのどちらも重ならない部分１０ｃを有している。そして、前述のように、吸収性本体１０の防漏シート１５ａの全面に色違い領域Ａｃ（図３中ハッチングで示す領域）が形成されていることから、当該重ならない部分１０ｃにも、色違い領域Ａｃが存在している。
【００５７】
よって、かかる構成のおむつ１を非肌側から見た場合には、吸収性本体１０における腹側の端部１０ｅａ及び背側の端部１０ｅｂは、それぞれ腹側帯部材３０ａ及び背側帯部材３０ｂを透かした形で視認されることになって、これにより、重ならない部分１０ｃよりも防漏シート１５ａの色違い領域Ａｃの青色が薄く見える。つまり、当該腹側の端部１０ｅａ及び背側の端部１０ｅｂは、それぞれ薄い青色の薄色領域Ａｃ１となっている（図７中の目の粗いハッチングの部分を参照）。一方、重ならない部分１０ｃは、上記の薄色領域Ａｃ１よりも色違い領域Ａｃの青色が濃く見えて、つまり、当該重ならない部分１０ｃは、濃い青色の濃色領域Ａｃ２となっている（図７中の目の細かいハッチングの部分を参照）。そして、これにより、非肌側から見ると、吸収性本体１０は、二つの薄色領域Ａｃ１，Ａｃ１と一つの濃色領域Ａｃ２とを有するように見えることになる。
【００５８】
これに対して、図６のように同おむつ１を肌側から見た場合には、吸収性コア１１ｃに阻まれて防漏シート１５の色違い領域Ａｃを視認し難いこと、及び、腹側帯部材３０ａ及び背側帯部材３０ｂを透かさずに吸収性本体１０の腹側の端部１０ｅａ及び背側の端部１０ｅｂを視認できることに起因して、肌側には上記の薄色領域Ａｃ１及び濃色領域Ａｃ２が形成されない。よって、作業者等は、吸収性本体１０上での薄色領域Ａｃ１及び濃色領域Ａｃ２の視認の有無に基づいて、おむつ１の非肌側と非肌側とを容易に識別することができる。
【００５９】
また、前述の傾斜部分３５ｋｋを有した弾性部材３５ｋは、吸収性本体１０を横方向に跨いで設けられているが、ここで、当該弾性部材３５ｋは、吸収性本体１０よりも厚さ方向の非肌側に位置していることから、図７のように当該傾斜部分３５ｋｋを有した弾性部材３５ｋが吸収性本体１０上に重なって良好に見える側が、おむつ１の非肌側であり、他方、図６のように、同弾性部材３５ｋの横方向の中央が吸収性本体１０の下に隠れてしまって当該弾性部材３５ｋが見え難い側が、おむつ１の肌側である。よって、作業者等は、この相違に基づいても、おむつ１の肌側と非肌側とを容易に識別することができる。
【００６０】
更に、図７に示すように、この弾性部材３５ｋが横方向の両側に具備する傾斜部分３５ｋｋ，３５ｋｋは、横方向の外側から内側へ向かうに従って、薄色領域Ａｃ１と濃色領域Ａｃ２との境界位置ＢＬの方へと近づくようにおむつ長手方向の内側に変位している。
【００６１】
よって、非肌側からおむつ１を見た場合に、傾斜部分３５ｋｋの近傍に位置する薄色領域Ａｃ１と濃色領域Ａｃ２との両者に基づいて、更に傾斜部分３５ｋｋは目立ち易くなって、作業者等は、当該傾斜部分３５ｋｋを有した弾性部材３５ｋに気付き易くなる。そして、これにより、当該弾性部材３５ｋが位置する帯部材が背側帯部材３０ｂであると速やかに気付くことができて、このことは、前述したおむつ１の腹側と背側との識別の容易化に有効に寄与する。
【００６２】
図８Ａ及び図８Ｂは、本実施形態の第１変形例の説明図である。なお、図８Ａは、おむつ１を肌側から見た概略平面図であり、図８Ｂは、図８Ａ中のＢ−Ｂ断面図である。この第１変形例では、吸収性本体１０の長手方向の各端部５１ａ,５１ｂでの肌への負荷軽減目的で、上述の実施形態に対して更に肌側から被覆シート５１ａ，５１ｂ（図８Ａ中のドット模様の部分を参照）が追設されている。そして、主にこの点で上述の実施形態と相違し、これ以外の点は概ね同じである。そのため、以下では、主にこの相違点について説明し、上述の実施形態と同じ構成については同じ符号を付して、その説明については省略する。
【００６３】
被覆シート５１ａ，５１ｂは、例えば横方向に長い長方形の白色の不織布であり、腹側と背側にそれぞれ設けられている。そして、腹側の被覆シート５１ａ（第１シートに相当）は、吸収性本体１０の腹側の端部１０ｅａの横方向に沿った端縁部１０ｅａｅをおむつ長手方向に跨ぎつつ、同端縁部１０ｅａｅを肌側から横方向の全長に亘って覆っている。また、背側の被覆シート５１ｂ（第２シートに相当）も、同様に、吸収性本体１０の背側の端部１０ｅｂの横方向に沿った端縁部１０ｅｂｅをおむつ長手方向に跨ぎつつ、同端縁部１０ｅｂｅを肌側から横方向の全長に亘って覆っている。
【００６４】
一方、この例では、これら被覆シート５１ａ，５１ｂは、どちらも不織布製であることから、共に繊維間隙間を有していて、これにより、肌側からおむつ１を見た場合には、各被覆シート５１ａ，５１ｂを透かした形で防漏シート１５ａの色違い領域Ａｃ（図８中でハッチングの部分を参照）を視認可能である。また、これら被覆シート５１ａ，５１ｂは白色であって、防漏シート１５ａの青色の色違い領域Ａｃと色違いであることから、当該シート５１ａ，５１ｂを透かした形での同領域Ａｃの視認性は良好になっている。更に、この例では、色違い領域Ａｃのうちで吸収性コア１１ｃから突出した部分Ａｃａ，Ａｃｂを部分的に被覆シート５１ａ，５１ｂが覆っている。そして、同シート５１ａ，５１ｂで覆われた部分では、覆われていない部分よりも当該被覆シート５１ａ，５１ｂを透かす分だけ色違い領域Ａｃが薄くなって見えるが、ここでは、図８Ａに示すように、腹側で突出した部分Ａｃａを腹側の被覆シート５１ａが覆うおむつ長手方向の長さの最大値Ｌａと、背側で突出した部分Ａｃｂを背側の被覆シート５１ｂが覆うおむつ長手方向の長さの最大値Ｌｂとが互いに異なっている。
【００６５】
よって、作業者等がおむつ１を肌側から見た場合には、腹側で突出した部分Ａｃａにおいて薄く見える部分のおむつ長手方向の長さの最大値Ｌａと、背側で突出した部分Ａｃｂにおいて薄く見える部分のおむつ長手方向の長さの最大値Ｌｂとが互いに異なって見える。そして、この相違に基づいて、同作業者等は、おむつ１の腹側と背側とを容易に識別することができる。
ちなみに、この例では、前者の腹側での最大値Ｌａの方が後者の背側での最大値Ｌｂよりも長くなっているが、この大小関係は、何等上述に限らない。すなわち、大小関係が上述と逆でも良い。
【００６６】
図９は、本実施形態の第２変形例の説明図であり、おむつ１を肌側から見た概略平面図である。この第２変形例では、所謂よれ等の吸収体１１の不用な変形を防ぐ観点から、吸収体１１の肌側から、線状のエンボス凹部ＥＢ（圧搾部に相当）を圧搾形成して、これにより、吸収体１１の剛性を高めている。そして、主にこの点で上述の実施形態と相違し、これ以外の点は概ね同じである。そのため、以下では、主にこの相違点について説明し、上述の実施形態と同じ構成については同じ符号を付して、その説明については省略する。
【００６７】
図９のような線状のエンボス凹部ＥＢの形成は、格子状パターンで厚さ方向の肌側から吸収体１１が圧搾されることでなされている。なお、格子状パターンの格子目の四辺の大きさは、それぞれ例えば１０ｍｍ〜３０ｍｍの範囲に収められていて、これにより、適度な柔らかさを維持しながら吸収体１１の剛性を高めるようしている。
【００６８】
また、この例では、吸収体１１よりも肌側に位置するトップシート１３が、吸収体１１と同色の白色であるとともに、吸収体１１よりも非肌側に位置する防漏シート１５ａの色違い領域Ａｃは、吸収性本体１０のうちで腹側帯部材３０ａ及び背側帯部材３０ｂのどちらとも重ならない部分１０ｃにも存在している。そして、当該色違い領域Ａｃの色は、前述の青色であることから、白色の吸収体１１とも色違いとなっている。そのため、このおむつ１によれば、おむつ１の肌側と非肌側とを更に容易に識別可能となる。詳しくは、次の通りである。
先ず、図９のようにおむつ１を肌側から見た場合には、トップシート１３を透かす形で吸収体１１のエンボス凹部ＥＢを見ることになるが、ここで、トップシート１３の色は、吸収体１１の肌側面と同色の白色である。そのため、トップシート１３を透かす形でのエンボス凹部ＥＢの視認性は良く、その結果、肌側からエンボス凹部ＥＢを視認することができる。一方、図３のようにおむつ１を非肌側から見た場合には、防漏シート１５ａの色違い領域Ａｃを透かす形で吸収体１１のエンボス凹部ＥＢを見ることになるが、ここで、かかる色違い領域Ａｃは、吸収体１１の非肌側面の白色と色違いの青色である。そのため、当該色違い領域Ａｃの防漏シート１５ａを透かす形でのエンボス凹部ＥＢの視認性は非常に悪く、その結果、非肌側からはエンボス凹部ＥＢをほぼ視認することができない。つまり、おむつ１を肌側から見る場合と非肌側から見る場合とで、吸収体１１のエンボス凹部ＥＢの視認性が大きく相違する。よって、この視認性の相違に基づいて、作業者等は、おむつ１の肌側と非肌側とを速やかに識別可能となる。
【００６９】
なお、この例では、かかるエンボス凹部ＥＢは、肌側から吸収体１１が圧搾されることで形成されていたが、何等これに限らない。すなわち、非肌側から吸収体１１が圧搾されることで形成されても良いし、肌側及び非肌側の両側から圧搾されることで形成されても良い。また、この例の格子状パターンは、格子目の四辺がおむつ長手方向及び横方向と交差した方向を向いた斜め格子状をなしていたが、何等これに限らない。例えば、格子目の四辺がおむつ長手方向及び横方向の一方と平行な方向を向いた格子状をなしていても良い。更に言えば、エンボス凹部ＥＢの形成パターンは、何等格子状に限らず他のパターンでも良い。例えば、複数のドット状のエンボス凹部ＥＢが、おむつ長手方向及び横方向に離散的に配置されたドットパターンでも良い。
【００７０】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７１】
上述の実施形態では、図６のように吸収性本体１０を肌側から見た場合に、防漏シート１５ａの色違い領域Ａｃのうちで吸収性コア１１ｃから突出した部分Ａｃａ，Ａｃｂが、コアラップシート１１ｒとトップシート１３と立体ギャザーシート１７と外装シート１５ｂの各端部１５ｂｅとを透かした形で視認可能である旨を述べたが、望ましくは、吸収性本体１０の位置での照度（ｌｘ）が、１００（ｌｘ）〜１０００（ｌｘ）の環境下において視認可能であると良い。そして、このようになっていれば、上記数値範囲の照度が、一般におむつ交換時の照度であることから、おむつ交換時に上記の突出した部分Ａｃａ，Ａｃｂを確実に視認可能となって、その結果、着用対象者がおむつ１を後ろ前に履いてしまうことを確実に防ぐことができる。
【００７２】
上述の実施形態では、吸収性本体１０は、立体ギャザーシート１７を備えていたが、何等これに限らない。すなわち、立体ギャザーシート１７を備えていなくても良い。
【００７３】
上述の実施形態では、吸収性コア１１ｃを厚さ方向に一層だけ有した単層構造であったが、何等これに限らない。すなわち、吸収性コア１１ｃを厚さ方向に二層等の複数層有した複層構造にしても良い。例えば、図１０の概略平面図に示すように、平面視略砂時計形状の吸収性コア１１ｃの上方に更に別の吸収性コア１１ｃ１が、上記の吸収性コア１１ｃから長手方向及び横方向に突出しないような平面視略矩形形状で重なって配置されていても良い。
【００７４】
上述の実施形態では、図６に示すように防漏シート１５ａの外周形状が矩形状であったことから、色違い領域Ａｃの外周形状も矩形状であり、これに起因して、色違い領域Ａｃのうちで吸収性コア１１ｃから腹側で突出した部分Ａｃａの外周形状と、同背側で突出した部分Ａｃｂの外周形状とは互いに同じであった。そして、その場合には、吸収性コア１１ｃの外周形状が腹側と背側とで異なることに基づいて、色違い領域Ａｃのうちで吸収性コア１１ｃから腹側で突出した部分Ａｃａの内周形状と、同背側で突出した部分Ａｃｂの内周形状とが互いに異なっていて、これにより、腹側で突出した部分Ａｃａと背側で突出した部分Ａｃｂとは互いに異なる形状を有していたが、何等これに限らない。
【００７５】
すなわち、上記の内周形状の相違に代えて又はこれに加えて、腹側で突出した部分Ａｃａの外周形状と背側で突出した部分Ａｃｂの外周形状とが互いに異なっていても良い。図１１は、その一例の説明図であって、おむつ１の概略平面図である。この例では、腹側で突出した部分Ａｃａにおけるおむつ長手方向の端縁部Ａｃａｅの形状が、横方向の中央部が端部よりもおむつ長手方向の内側にへこんだＶ字状をなしているのに対して、背側で突出した部分Ａｃｂにおけるおむつ長手方向の端縁部Ａｃｂｅの形状は、横方向の中央部が端部よりもおむつ長手方向の外側に突出した逆Ｖ字状をなしている。
そして、このようになっていれば、これら部分Ａｃａ，Ａｃｂ同士の外周形状の相違を視認することにより、作業者等は、おむつ１の腹側と背側とを容易に識別することができる。
【００７６】
ちなみに、この場合には、吸収性コア１１ｃの形状が、図１２の概略平面図のような平面視矩形形状でも構わない。すなわち、仮に同コア１１ｃの外周形状が腹側と背側とで互いに同じ形状であっても、この図１２の例では、色違い領域Ａｃにおける上記各部分Ａｃａ，Ａｃｂの外周形状の相違に基づいて、おむつ１の腹側と背側とを識別可能である。よって、このような態様も本発明の範囲に含まれる。
【符号の説明】
【００７７】
１  使い捨ておむつ（吸収性物品）、１ＨＢ  胴回り開口部、１ＨＬ  脚回り開口部、１０  吸収性本体、１０ｃ  重ならない部分、１０ｅａ  端部、１０ｅａｅ  端縁部、１０ｅｂ  端部、１０ｅｂｅ  端縁部、１０ｅｓ  端部、１１  吸収体、１１ｃ  吸収性コア、１１ｃ１  吸収性コア、１１ｃａ  腹側の部分、１１ｃｂ  背側の部分、１１ｒ  コアラップシート（肌側シート）、１３  トップシート（肌側シート）、１５  バックシート、１５ａ  防漏シート（非肌側シート）、１５ｂ  外装シート、１５ｂｅ  端部、１５ｂｆ  突出した部分、１５ｂｆｒ  先端部、１７  立体ギャザーシート（肌側シート）、１７ｇ  立体ギャザー、１７ｋ  基端部、１７ｒ  弾性部材、１７ｓ  起立部、１９  弾性部材、３０ａ  腹側帯部材、３０ａ１ＨＬ  部分、３０ａｃ  中央部、３０ａｅ  端部、３０ｂｅ  端部、３０ａｅ１  端縁部、３０ｂ  背側帯部材、３０ｂｅ１  端縁部、３０ｂｅ１ｅ  端部、３０ｂｎ  お尻カバー（一部）、３１  不織布、３１ｆ  突出した部分、３２  不織布、３５  弾性部材、３５ｋ  弾性部材、３５ｋｋ  傾斜部分、５１ａ  被覆シート（第１シート）、５１ｂ  被覆シート（第２シート）、Ａｃ  色違い領域、Ａｃａ  突出した部分、Ａｃａｅ  端縁部、Ａｃｂ  突出した部分、Ａｃｂｅ  端縁部、Ａｃ１  薄色領域、Ａｃ２  濃色領域、ＢＬ  境界位置、ＥＢ  エンボス凹部、ＬＧ  脚回りギャザー、Ｃ１  中央位置、Ｃ１０  所定位置、Ｃ１０ｓ  中央位置、
【要約】
【課題】吸収性物品を交換する作業者等が吸収性物品を肌側から見た場合に、吸収性物品の腹側と背側とを容易に識別可能にする。
【解決手段】長手方向の所定位置で二つ折りされて、長手方向を縦方向に沿わせて配された吸収性本体と、横方向に沿って設けられ、吸収性本体の長手方向の一方の端部に厚さ方向の非肌側から重ねられて固定された腹側帯部材と、横方向に沿って設けられ、吸収性本体の長手方向の他方の端部に厚さ方向の非肌側から重ねられて固定された背側帯部材と、を有する。吸収性本体は、液体吸収性素材を有した吸収性コアと、吸収性コアを厚さ方向の肌側から覆って設けられた肌側シートと、吸収性コアを厚さ方向の非肌側から覆って設けられた非肌側シートと、を有する。非肌側シートは、吸収性コアと色違いの色違い領域を有する。色違い領域は、長手方向の前記一方の端部側において吸収性コアから長手方向又は横方向に突出した部分と、長手方向の前記他方の端部側において吸収性コアから長手方向又は横方向に突出した部分を有する。厚さ方向の肌側から吸収性本体を見た場合に、色違い領域のうちで吸収性コアから突出した部分が、肌側シートを透かした形で視認可能であるとともに、色違い領域のうちの前記一方の端部側で前記突出した部分と、前記他方の端部側で前記突出した部分との形状が互いに異なっている。
【選択図】図６【図１】
0005784851.tif 000002
【図２】
0005784851.tif 000003
【図３】
0005784851.tif 000004
【図４】
0005784851.tif 000005
【図５】
0005784851.tif 000006
【図６】
0005784851.tif 000007
【図７】
0005784851.tif 000008
【図８】
0005784851.tif 000009
【図９】
0005784851.tif 000010
【図１０】
0005784851.tif 000011
【図１１】
0005784851.tif 000012
【図１２】
0005784851.tif 000013